(57)【要約】【課題】過去に作成したラベルと同様なフォーマットの印刷ラベルを作成可能なテープ印刷装置、制御方法、およびプログラムを提供する。【解決手段】テープ印刷装置１は、テープ状印刷物を撮像する撮像部５０（ステップＳ１０５）と、撮像部５０が撮像した撮影画像データを解析してテープ状印刷物のフォーマット情報を抽出するフォーマット抽出部（ステップＳ１０６、ステップＳ１０７）と、フォーマット抽出部が抽出したフォーマット情報を文書データに反映するフォーマット反映部（ステップＳ１０８）と、を備える。【選択図】図５
2011251484.tif 000002
【特許請求の範囲】
【請求項１】
文書データに基づく画像をテープに印刷するテープ印刷装置であって、
テープ状印刷物を撮像する撮像部と、
前記撮像部が撮像した撮影画像データを解析して前記テープ状印刷物のフォーマット情報を抽出するフォーマット抽出部と、
前記フォーマット抽出部が抽出した前記フォーマット情報を前記文書データに反映するフォーマット反映部と、
を備えることを特徴とするテープ印刷装置。
【請求項２】
請求項１に記載のテープ印刷装置であって、
前記フォーマット抽出部が抽出する前記フォーマット情報は、前記撮影画像データに含まれるキャラクターの属性情報であることを特徴とするテープ印刷装置。
【請求項３】
請求項１または２に記載のテープ印刷装置であって、
前記フォーマット抽出部が抽出する前記フォーマット情報は、前記撮影画像データに含まれる前記キャラクターの文字コード情報であることを特徴とするテープ印刷装置。
【請求項４】
請求項１乃至３のいずれか一項に記載のテープ印刷装置であって、
前記フォーマット抽出部が抽出する前記フォーマット情報は、前記撮影画像データに含まれる前記キャラクター全体にかかる属性情報であることを特徴とするテープ印刷装置。
【請求項５】
請求項１乃至４のいずれか一項に記載のテープ印刷装置であって、
前記テープ状印刷物のテープ幅情報を入力するテープ幅入力部をさらに備え、
前記フォーマット抽出部は、前記テープ幅情報に基づいて、前記テープ状印刷物の長さを前記フォーマット情報として抽出することを特徴とするテープ印刷装置。
【請求項６】
請求項５に記載のテープ印刷装置であって、
前記フォーマット抽出部は、前記テープ幅情報に基づいて、前記撮影画像データに含まれる前記キャラクターの大きさを前記フォーマット情報として抽出することを特徴とするテープ印刷装置。
【請求項７】
請求項５または６に記載のテープ印刷装置であって、
前記フォーマット抽出部は、前記テープ幅情報に基づいて、前記撮影画像データに含まれる前記キャラクターの文字間を前記フォーマット情報として抽出することを特徴とするテープ印刷装置。
【請求項８】
テープ状印刷物を撮像する撮像部を有し、文書データに基づく画像をテープに印刷するテープ印刷装置の制御方法であって、
前記テープ状印刷物を撮像する撮像ステップと、
前記撮像ステップによって撮像した撮影画像データを解析して前記テープ状印刷物のフォーマット情報を抽出するフォーマット抽出ステップと、
前記フォーマット抽出ステップが抽出した前記フォーマット情報を前記文書データに反映するフォーマット反映ステップと、
を備えることを特徴とするテープ印刷装置の制御方法。
【請求項９】
コンピューターに、請求項８に記載のテープ印刷装置の制御方法における各ステップを実行させるためのプログラム。
【発明の詳細な説明】
【技術分野】
【０００１】
本発明は、テープ印刷装置、テープ印刷装置の制御方法、およびプログラムに関する。
【背景技術】
【０００２】
従来、文字列等を含んだ文書データに基づく画像を、テープ（ラベル）に印刷するテープ印刷装置が知られている。このようなテープ印刷装置では、文書データにおける文字サイズや書体、装飾等のフォーマット情報を様々に変更することが可能になっている。特許文献１では、ユーザーが、文字サイズや書体等の文字属性（フォーマット情報）を段落単位、行単位、文字単位に設定することが可能なテープ印刷装置が開示されている。
【先行技術文献】
【特許文献】
【０００３】
【特許文献１】特許第３１００１６４号公報
【発明の概要】
【発明が解決しようとする課題】
【０００４】
このようなテープ印刷装置を用いてラベルを作成する際に、ユーザーは、過去に作成したラベルと同様の文字コード情報や属性情報（文字属性）のフォーマット情報のラベルを作成にしたい場合があった。例えば、ファイルの背表紙に貼付するラベルを作成する場合には、過去に作成したラベルと同じフォーマット情報にすることで、見た目を同様にしたいという要望があった。しかしながら、従来のテープ印刷装置では、フォーマット情報を設定変更するための操作を熟知していないと、過去に作成したラベルと同様なフォーマットのラベルを作成するのは困難であった。また、他人が作成したラベルと同様なフォーマットのラベルを作成することも困難であるという問題があった。
【課題を解決するための手段】
【０００５】
本発明は、上述の課題の少なくとも一部を解決するためになされたものであり、以下の形態または適用例として実現することが可能である。
【０００６】
［適用例１］本適用例に係るテープ印刷装置は、文書データに基づく画像をテープに印刷するテープ印刷装置であって、テープ状印刷物を撮像する撮像部と、前記撮像部が撮像した撮影画像データを解析して前記テープ状印刷物のフォーマット情報を抽出するフォーマット抽出部と、前記フォーマット抽出部が抽出した前記フォーマット情報を前記文書データに反映するフォーマット反映部と、を備えることを特徴とする。
【０００７】
このようなテープ印刷装置によれば、撮像部は、テープ状印刷物を撮像する。フォーマット抽出部は、撮影画像データを解析してテープ状印刷物のフォーマット情報を抽出する。フォーマット反映部は、フォーマット情報を文書データに反映する。つまり、テープ印刷装置は、テープ状印刷物のフォーマット情報を抽出して文書データに反映することができる。そして、テープに印刷することができる。これにより、ユーザーは、テープ印刷装置のフォーマット情報を設定変更するための操作を熟知していなくても、過去に作成した印刷ラベル（テープ状印刷物）と同様のフォーマット情報を有する印刷ラベルを作成することが可能になる。また、他人が作成した印刷ラベルと同様なフォーマット情報を有する印刷ラベルを作成することも可能になる。
【０００８】
［適用例２］上記適用例に係るテープ印刷装置において、前記フォーマット抽出部が抽出する前記フォーマット情報は、前記撮影画像データに含まれるキャラクターの属性情報であることを特徴とする。
【０００９】
このようなテープ印刷装置によれば、フォーマット抽出部が抽出するフォーマット情報は、撮影画像データに含まれるキャラクターの属性情報である。ここで、属性情報とは、文字列を印刷する際のいわゆる印刷属性である。これにより、テープ印刷装置は、過去に作成したラベル（テープ状印刷物）上のキャラクターの印刷属性と同様な印刷属性の印刷ラベルを作成することができる。
【００１０】
［適用例３］上記適用例に係るテープ印刷装置において、前記フォーマット抽出部が抽出する前記フォーマット情報は、前記撮影画像データに含まれる前記キャラクターの文字コード情報であることを特徴とする。
【００１１】
このようなテープ印刷装置によれば、フォーマット抽出部が抽出するフォーマット情報は、撮影画像データに含まれるキャラクターの文字コード情報である。これにより、テープ印刷装置は、過去に作成したラベル（テープ状印刷物）上のキャラクターと同様な文字コード情報の印刷ラベルを作成することができる。
【００１２】
［適用例４］上記適用例に係るテープ印刷装置において、前記フォーマット抽出部が抽出する前記フォーマット情報は、前記撮影画像データに含まれる前記キャラクター全体にかかる属性情報であることを特徴とする。
【００１３】
このようなテープ印刷装置によれば、フォーマット抽出部が抽出するフォーマット情報は、撮影画像データに含まれるキャラクター全体にかかる属性情報（印刷属性）である。これにより、テープ印刷装置は、過去に作成したラベル（テープ状印刷物）上のキャラクター全体にかかる印刷属性と同様な印刷属性の印刷ラベルを作成することができる。
【００１４】
［適用例５］上記適用例に係るテープ印刷装置において、前記テープ状印刷物のテープ幅情報を入力するテープ幅入力部をさらに備え、前記フォーマット抽出部は、前記テープ幅情報に基づいて、前記テープ状印刷物の長さを前記フォーマット情報として抽出することを特徴とする。
【００１５】
このようなテープ印刷装置によれば、テープ幅入力部は、テープ状印刷物のテープ幅情報を入力する。そして、フォーマット抽出部は、撮影画像データとテープ幅情報とに基づいて、テープ状印刷物の長さ（テープ長）をフォーマット情報として抽出する。これにより、テープ印刷装置は、過去に作成したラベル（テープ状印刷物）と同様な長さの印刷ラベルを作成することができる。
【００１６】
［適用例６］上記適用例に係るテープ印刷装置において、前記フォーマット抽出部は、前記テープ幅情報に基づいて、前記撮影画像データに含まれる前記キャラクターの大きさを前記フォーマット情報として抽出することを特徴とする。
【００１７】
このようなテープ印刷装置によれば、フォーマット抽出部は、撮影画像データとテープ幅情報とに基づいて、撮影画像データに含まれるキャラクターの大きさ（文字サイズ）を抽出する。これにより、テープ印刷装置は、過去に作成したラベル（テープ状印刷物）と同様なキャラクターの大きさの印刷ラベルを作成することができる。
【００１８】
［適用例７］上記適用例に係るテープ印刷装置において、前記フォーマット抽出部は、前記テープ幅情報に基づいて、前記撮影画像データに含まれる前記キャラクターの文字間を前記フォーマット情報として抽出することを特徴とする。
【００１９】
このようなテープ印刷装置によれば、フォーマット抽出部は、撮影画像データとテープ幅情報とに基づいて、撮影画像データに含まれるキャラクターの文字間を抽出する。これにより、テープ印刷装置は、過去に作成したラベル（テープ状印刷物）と同様なキャラクターの文字間の印刷ラベルを作成することができる。
【００２０】
［適用例８］本適用例に係るテープ印刷装置の制御方法は、テープ状印刷物を撮像する撮像部を有し、文書データに基づく画像をテープに印刷するテープ印刷装置の制御方法であって、前記テープ状印刷物を撮像する撮像ステップと、前記撮像ステップによって撮像した撮影画像データを解析して前記テープ状印刷物のフォーマット情報を抽出するフォーマット抽出ステップと、前記フォーマット抽出ステップが抽出した前記フォーマット情報を前記文書データに反映するフォーマット反映ステップと、を備えることを特徴とする。
【００２１】
このようなテープ印刷装置の制御方法によれば、テープ印刷装置は、テープ状印刷物のフォーマット情報を抽出して文書データに反映することができる。そして、テープに印刷することができる。これにより、テープ印刷装置は、過去に作成したラベル（テープ状印刷物）と同様のフォーマット情報を有する印刷ラベルを作成することが可能になる。
【００２２】
［適用例９］本適用例に係るプログラムは、コンピューターに、上記適用例に記載のテープ印刷装置の制御方法における各ステップを実行させるためのものであることを特徴とする。
【００２３】
このようなプログラムをコンピューターに実行させることにより、テープ印刷装置は、過去に作成したラベル（テープ状印刷物）と同様のフォーマット情報を有する印刷ラベルを作成することが可能になる。
【図面の簡単な説明】
【００２４】
【図１】実施形態のテープ印刷装置を示す斜視図。
【図２】実施形態のテープ印刷装置を示す斜視図。
【図３】テープ印刷装置の回路構成を示すブロック図。
【図４】属性データ記憶部の構成の説明図。
【図５】テープ印刷装置の文字コードデータおよび属性データの抽出処理を説明するためのフローチャート。
【図６】撮像対象としての印刷ラベルと撮像データの説明図であり、（ａ）は、印刷ラベルの平面図、（ｂ）は、印刷ラベルを撮像した撮影画像データの説明図。
【図７】撮像テープ幅選択画面を表す説明図。
【図８】文字コードデータ記憶部および属性データ記憶部の構成の説明図であり、（ａ）は、文字コードデータ記憶部の説明図であり、（ｂ）は、属性データ記憶部の説明図。
【発明を実施するための形態】
【００２５】
以下、実施形態について説明する。
【００２６】
（実施形態）
本実施形態では、印刷ラベルを撮像して画像解析を行い、フォーマット情報（文字コード情報、属性情報）を抽出するテープ印刷装置について説明する。
【００２７】
図１および図２は、本実施形態のテープ印刷装置を示す斜視図である。
図１および図２に示すように、テープ印刷装置１は、本体が筐体１０に収容された構成を有している。また、テープ印刷装置１は、本体にケーブルＣＢを介して接続された撮像部５０を有している。
【００２８】
筐体１０の上面手前側には、キーボード１１が備えられている。キーボード１１は、文字（キャラクター）列の入力等、ユーザーによる各種入力操作を受け付ける入力部であり、仮名、漢字、アルファベット、数字、および記号等の文字列を入力可能な多数の文字キーと、テープ印刷装置１に対して各種動作を指示するための複数の制御キーとを有している。キーボード１１が備える制御キーには、電源のオンとオフとを切り換えるための電源キー、漢字に変換するための変換キー、入力した文字列等を確定させるための決定キー、属性情報としての印刷属性を設定するための印刷属性メニュー画面を表示させる印刷属性メニューキー、カーソルの移動等に用いられるカーソルキー、印刷を実行させるための印刷キー等が含まれる。
【００２９】
筐体１０の上面奥側には、液晶表示装置等からなる表示部１２が備えられている。表示部１２は、マトリクス状に配列された多数の画素で画像を形成するものであり、キーボード１１から入力された文字の表示や、メニュー画面やメッセージ画面の表示等に用いられる。
【００３０】
筐体１０の上面奥側には、表示部１２に隣接して、テープカートリッジ２を装着するための凹部１３が形成されている。凹部１３の開口部上には、開閉蓋１４が開閉可能に備えられており、開閉蓋１４を開放状態にすることによって、テープカートリッジ２を着脱することが可能となる。また、開閉蓋１４には、透光性を有する確認窓１４ａが備えられており、凹部１３にテープカートリッジ２が装着されているか否かを外部から視認可能になっている。凹部１３の底面には、サーマルヘッド１５や、搬送機構１６（図３参照）を構成する回転軸１６ａ，１６ｂが設けられており、凹部１３にテープカートリッジ２を装着すると、テープカートリッジ２に設けられた孔状のヘッド嵌合部２１にサーマルヘッド１５が嵌合するとともに、孔状の被駆動部２２ａ，２２ｂに回転軸１６ａ，１６ｂがそれぞれ係合する。
【００３１】
テープカートリッジ２には、カートリッジケース２０の内部に、ともに帯状のテープＴとインクリボンＲとが内蔵されている。テープＴは、テープ印刷装置１の印刷媒体であり、ＰＥＴ（ポリエチレンテレフタレート）或いは紙材等からなる基材の裏面に接着剤層が形成され、それが剥離紙によって覆われた構成になっている。テープ印刷装置１は、テープＴの幅や素材（基材の材質）、色等が異なる複数種類のテープカートリッジ２に対応可能であり、ユーザーは、用途や好みに応じたテープカートリッジ２を使用することができる。なお、テープカートリッジ２の裏面には、内蔵するテープＴを識別するための複数の孔（図示せず）が設けられており、テープ印刷装置１は、凹部１３の底面に備えられたマイクロスイッチ等の識別センサー１９（図３参照）によって、装着されたテープカートリッジ２のテープ種別を識別することができる。
【００３２】
テープカートリッジ２を凹部１３に装着すると、テープＴの表面は、ヘッド嵌合部２１において、インクリボンＲを介してサーマルヘッド１５と対向する。サーマルヘッド１５には、テープＴの長手方向（搬送方向）と直交する方向に１列に配列された複数の発熱素子（図示せず）が形成されており、各発熱素子を選択的に発熱させることにより、インクリボンＲのインクがテープＴの表面に転写（熱転写）される。ここで、回転軸１６ａ，１６ｂを回転駆動すると、テープＴとインクリボンＲは搬送されて、テープＴはカートリッジケース２０の外部に排出され、インクリボンＲはカートリッジケース２０の内部で巻き取られる。そして、テープＴとインクリボンＲとを少しずつ搬送しながら上記の熱転写を繰り返すことにより、複数のドットで構成される画像がテープＴの表面に印刷される。
【００３３】
筐体１０の側面には、筐体１０の外部と凹部１３とを連通するスリット１７が設けられており、カートリッジケース２０から排出された印刷済みのテープＴは、スリット１７を通って筐体１０の外部に向けて所定量だけ搬送される。筐体１０の内部には、スリット１７を横断するテープＴを切断するためのカッターユニット１８が配設されており、テープＴの印刷済みの部位は、このカッターユニット１８によって切り離され、テープ片（ラベル）としてスリット１７の開口部（テープ排出口）から排出される。
【００３４】
撮像部５０は、筐体５０ａで覆われた構成を有しており、ＣＣＤカメラを有している。筐体５０ａの前面５０ｆには、撮像レンズ５１が露出している。また、筐体５０ａの上面５０ｔには、撮像を指示するための撮像キー５２を備えている。撮像キー５２が押下されると、ＣＣＤカメラによって撮像が行われ、撮像された撮影画像データが、ケーブルＣＢを介してテープ印刷装置１の本体に転送される。なお、本実施形態では、撮像部５０は、ＣＣＤカメラとしたが、これに限定しない。その他の撮像機能を備えたカメラとしてもよいし、撮像素子を備えたスキャナー等としてもよい。
【００３５】
図３は、テープ印刷装置１の回路構成を示すブロック図である。
図３に示すように、テープ印刷装置１は、上述したキーボード１１、表示部１２、サーマルヘッド１５、回転軸１６ａ，１６ｂ（図２参照）を含む搬送機構１６、カッターユニット１８、識別センサー１９の他に、テープ印刷装置１の動作を統括制御する制御部３０、表示部１２に画像を表示させる表示駆動部４１、サーマルヘッド１５を発熱駆動するヘッド駆動部４２、搬送機構１６を駆動する搬送駆動部４３、カッターユニット１８を駆動するカッター駆動部４４、撮像部５０等を備えている。
【００３６】
制御部３０は、コンピューターとして機能するものであり、互いにバス３０ａを介して接続されたＣＰＵ（Central Processing Unit）３１、ＲＡＭ（Random Access Memory）３２、ＲＯＭ３３、ＣＧＲＯＭ（キャラクタージェネレーターＲＯＭ）３４、入力インターフェイス（Ｉ／Ｆ）３５、出力インターフェイス（Ｉ／Ｆ）３６等を有している。
【００３７】
ＣＰＵ３１は、ＲＯＭ３３に記憶されている制御プログラムに従って動作し、テープ印刷装置１全体の各種動作を制御する。
【００３８】
ＲＡＭ３２は、揮発性の記憶装置で構成された記憶部であり、ＣＰＵ３１の各種処理結果や、キーボード１１から入力された文字コード情報（以降、「文字コードデータ」と呼ぶ）、表示部１２に表示させる表示画像データ、サーマルヘッド１５に印刷させる印刷画像データ等を一時的に記憶する。ＲＡＭ３２は、文字コードデータ記憶部３２ａ、属性データ記憶部３２ｂ、および画像解析用メモリー３２ｃを備えている。
【００３９】
文字コードデータ記憶部３２ａは、上述した文字コードデータを記憶する。また、属性データ記憶部３２ｂは、文字コードデータに対して設定された印刷属性（以降、「属性データ」ともいう）を記憶する。
【００４０】
ここで、属性データ記憶部３２ｂについて説明する。
図４は、属性データ記憶部３２ｂの構成の説明図である。
図４に示すように、属性データ記憶部３２ｂに印刷属性として記憶される属性種類は、文字の書体種別を示す「書体」、文字に対する装飾種別を示す「装飾」、文字の大きさを示す「文字サイズ（ｄｏｔ）」、縦書き／横書きを示す「縦・横」、キャラクター全体にかかる印刷属性として文字列全体にかかる枠を示す「枠」、文字と文字の間隔を示す「文字間（ｄｏｔ）」、テープＴの長さを示す「テープ長（ｄｏｔ）」である。ここで、「ｄｏｔ」はドット数を意味している。
【００４１】
ユーザーが、印刷属性を設定するための印刷属性メニュー画面によって、印刷属性を設定すると、設定された設定値が属性データ記憶部３２ｂのそれぞれの属性種類の設定データに記憶される。図４では、設定データに初期値（デフォルト値）が記憶されている。
【００４２】
図３に戻り、ＲＡＭ３２の画像解析用メモリー３２ｃは、撮像部５０が撮像した撮影画像データを記憶する。そして、ＣＰＵ３１が撮影画像データの解析を行って、撮影画像データに含まれる文字コードデータ（テキストデータ）を抽出したり、属性データを抽出したりする。
【００４３】
ＲＯＭ３３およびＣＧＲＯＭ３４は、マスクＲＯＭやフラッシュメモリー等の不揮発性の記憶装置で構成された記憶部であり、ＲＯＭ３３には、上述した制御プログラムや各種データ等が記憶されている。また、ＲＯＭ３３には、画像解析用メモリー３２ｃの撮影画像データを解析して、文字コードデータや属性データを抽出する画像解析プログラム３３ａを備えている。
【００４４】
ＣＧＲＯＭ３４には、テープ印刷装置１で印刷可能な文字のフォントデータが記憶されている。フォントデータは、サーマルヘッド１５に印刷させる文字や、表示部１２に表示させる文字を生成するためのビットマップ形式のデータである。ビットマップ形式のフォントデータは多数のドットで構成されており、各ドットはサーマルヘッド１５の発熱素子や表示部１２の画素に対応する。ＣＧＲＯＭ３４には、複数のフォントのフォントデータが記憶されており、ＣＰＵ３１は、フォントの種別、文字サイズおよび文字コードを指定することによって、対応するフォントデータをＣＧＲＯＭ３４から取得し、このフォントデータを用いて表示画像データおよび印刷画像データを形成する。なお、フォントデータとしては、種々の文字サイズに対応させやすいアウトライン形式のフォントデータを用いるようにしてもよい。
【００４５】
入力インターフェイス３５には、キーボード１１、識別センサー１９、および撮像部５０が接続されている。ユーザーによりキーボード１１が操作されると、キーボード１１は、この操作を受け付けて、操作されたキーに対応するキー情報を、入力インターフェイス３５を介してＣＰＵ３１に出力する。また、識別センサー１９は、装着されたテープカートリッジ２のテープ種別に応じた識別情報を、入力インターフェイス３５を介してＣＰＵ３１に出力する。また、撮像部５０が撮像した撮影画像データは、入力インターフェイス３５を介して画像解析用メモリー３２ｃに記憶される。
【００４６】
出力インターフェイス３６には、表示駆動部４１、ヘッド駆動部４２、搬送駆動部４３、およびカッター駆動部４４が接続されており、これらは、ＣＰＵ３１の制御に基づいて、表示部１２、サーマルヘッド１５、搬送機構１６、およびカッターユニット１８をそれぞれ駆動する。
【００４７】
上記のように構成されたテープ印刷装置１において、ユーザーにより電源キーが操作されると、テープ印刷装置１は、動作を開始し、文字キーによる文字の入力や、制御キーによる各種指示が可能な状態となる。
【００４８】
ここで、ユーザーにより文字キーが操作されて文字が入力されると、キーボード１１は、この入力を受け付けて制御部３０にキー情報を出力する。制御部３０は、キーボード１１から入力されるキー情報に基づいて、入力された文字の文字コードを特定し、この文字コードをＲＡＭ３２の文字コードデータ記憶部３２ａに記憶する。そして、この文字コードに対応するフォントデータをＣＧＲＯＭ３４から取得し、このフォントデータを用いて表示画像データを形成する。制御部３０がこの表示画像データを表示駆動部４１に供給すると、入力された文字が表示部１２に表示される。そして、ユーザーが文字の入力を複数回繰り返せば、文字コードデータ記憶部３２ａには、複数の文字コードを含んだ文字コードデータが記憶され、表示部１２には、複数の文字からなる文字列が表示される。
【００４９】
また、ユーザーにより印刷属性メニューキーが押下され、印刷属性メニュー画面において操作がなされると、制御部３０は、操作された操作情報に基づき、設定された印刷属性を属性データ記憶部３２ｂに記憶する。
【００５０】
文字（文字列）や印刷属性が入力された後、ユーザーにより印刷キーが操作されると、テープ印刷装置１は、印刷処理を実行する。
【００５１】
次に、テープ印刷装置１がテープ状印刷物である印刷ラベルを撮像して、フォーマット情報として文字コードデータや属性データを抽出する処理について説明する。
図５は、テープ印刷装置１の文字コードデータおよび属性データの抽出処理を説明するためのフローチャートである。また、図６は、撮像対象としての印刷ラベルと撮像データの説明図であり、図６（ａ）は、印刷ラベルの平面図であり、図６（ｂ）は、印刷ラベルを撮像した撮影画像データの説明図である。
【００５２】
制御部３０は、表示駆動部４１に指示を出して、撮像する印刷ラベルＬ１のテープ幅情報を入力させるための撮像テープ幅選択画面を表示させる（ステップＳ１０１）。ここで、撮像テープ幅選択画面について説明する。
図７は、撮像テープ幅選択画面を表す説明図である。
【００５３】
図７に示すように、撮像テープ幅選択画面Ｇ１の最上部には、撮像テープ幅選択画面であることを表す「撮像テープ幅選択」の文字列が表示されている。その下には、順番に、「６ｍｍ」、「９ｍｍ」、「１２ｍｍ」、「１８ｍｍ」の文字列が表示されている。ユーザーは、キーボード１１に備わるカーソルキーを押下し、さらに決定キーを押下することで、いずれかを選択することができる。選択されたテープ幅（テープ幅情報）は、ＲＡＭ３２に一時記憶される。ここで、選択中の項目は、白黒反転した文字で表示される。なお、本実施形態では、選択可能なテープ幅は、「６ｍｍ」、「９ｍｍ」、「１２ｍｍ」、「１８ｍｍ」としているが、これに限定するものではない。
【００５４】
図５に戻り、制御部３０は、撮像テープ幅選択画面Ｇ１を表示した状態で、撮像する印刷ラベルのテープ幅をユーザーに選択させる（ステップＳ１０２）。テープ幅が選択されていなければ（ステップＳ１０２：ＮＯ）、ステップＳ１０２をループして、選択されるのを待ち続ける。テープ幅が選択されると（ステップＳ１０２：ＹＥＳ）、制御部３０は、選択されたテープ幅（テープ幅情報）をＲＡＭ３２に一時記憶する（ステップＳ１０３）。このときの制御部３０およびキーボード１１がテープ幅入力部に相当する。
【００５５】
次に、制御部３０は、撮像部５０の撮像キー５２が押下されたか否かを判断する（ステップＳ１０４）。撮像キー５２が押下されていなければ（ステップＳ１０４：ＮＯ）、ステップＳ１０４をループして、押下されるのを待ち続ける。
【００５６】
ユーザーによって撮像キー５２が押下されると（ステップＳ１０４：ＹＥＳ）、撮像部５０は、ＣＣＤカメラによって、図６（ａ）のような印刷ラベルＬ１を撮像する（ステップＳ１０５）。このとき、撮像した撮影画像データは、図６（ｂ）に示すような撮影画像データＤ１となる。そして、制御部３０は、撮像部５０が撮像した撮影画像データＤ１を入力し、ＲＡＭ３２の画像解析用メモリー３２ｃに記憶させる。
【００５７】
そして、制御部３０は、画像解析プログラム３３ａを実行して画像解析用メモリー３２ｃの撮影画像データＤ１を解析する（ステップＳ１０６）。そして、制御部３０は、文字コードデータおよび属性データを抽出する（ステップＳ１０７）。具体的には、制御部３０は、撮影画像データＤ１に対して、輪郭抽出処理を行う。そして、パターンマッチング処理を行って、文字や図形の形状の抽出を行う。これにより、「文字コードデータ」、および「書体」、「装飾」、「枠」、「縦・横」といった属性データを抽出する。
【００５８】
また、図６（ｂ）に示すように、撮影画像データからテープ輪郭ＴＯを抽出してテープ幅方向とテープ長さ方向の比率を算出し、ステップＳ１０３で記憶したテープ幅（テープ幅情報）に基づいて、「テープ長」のドット数を算出する。また、テープ輪郭ＴＯに占める文字部分の比率を算出し、テープ幅やテープ長のドット数から、「文字サイズ」、「文字間」を算出する。このときの制御部３０が、フォーマット抽出部に相当する。なお、輪郭抽出処理およびパターンマッチング処理は、既知の技術を用いる。また、文字の抽出処理は、既知のＯＣＲ（Optical Character Recognition）技術に基づいて行うことも可能である。
【００５９】
制御部３０は、抽出した文字コードデータおよび属性データを、文字コードデータ記憶部３２ａおよび属性データ記憶部３２ｂに書き込むことで、編集中の文書データに反映させる（ステップＳ１０８）。このときの制御部３０が、フォーマット反映部に相当する。そして、文字コードデータや属性データを抽出する処理を終了する。
【００６０】
図８は、フォーマット情報を抽出して反映する処理を行った後の文字コードデータ記憶部３２ａおよび属性データ記憶部３２ｂの構成の説明図であり、図８（ａ）は、文字コードデータ記憶部３２ａの説明図であり、図８（ｂ）は、属性データ記憶部３２ｂの説明図である。上述した文字コードデータや属性データを抽出する処理を行うと、図８に示すように、文字コードデータ記憶部３２ａには、印刷ラベルＬ１と同様な文字コードデータ「ＡＢＣ」が記憶される。また、属性データ記憶部３２ｂに、印刷ラベルＬ１から抽出された属性データが記憶される。
【００６１】
上述した実施形態によれば、以下の効果が得られる。
（１）テープ印刷装置１は、撮像部５０によって印刷ラベルＬ１を撮像し、撮影画像データＤ１を解析して属性データを抽出する。そして、抽出した属性データを属性データ記憶部３２ｂに反映する。つまり、テープ印刷装置１は、印刷ラベルＬ１の書体、装飾、枠、縦・横といった属性データを抽出して編集中の文書データに反映することができる。そして、ユーザーは、その文書データを編集したり印刷したりすることができる。これにより、ユーザーは、属性データを設定変更するための操作を熟知していなくても、テープ印刷装置１によって、過去に作成した印刷ラベルと同様の属性データの印刷ラベルを容易に作成することが可能になる。また、他人が作成した印刷ラベルと同様の属性データの印刷ラベルを作成することも可能になる。
【００６２】
（２）テープ印刷装置１は、撮像部５０によって印刷ラベルＬ１を撮像し、撮影画像データＤ１を解析して文字コードデータを抽出する。そして、抽出した文字コードデータを文字コードデータ記憶部３２ａに反映する。つまり、テープ印刷装置１は、印刷ラベルＬ１の文字コードデータを抽出して編集中の文書データに反映することができる。そして、ユーザーは、その文書データを編集したり印刷したりすることができる。これにより、ユーザーは、文字コードデータを入力するための操作を熟知していなくても、テープ印刷装置１によって、過去に作成した印刷ラベルと同様の文字コードデータの印刷ラベルを容易に作成することが可能になる。また、他人が作成した印刷ラベルと同様の文字コードデータの印刷ラベルを作成することも可能になる。
【００６３】
（３）テープ印刷装置１は、印刷ラベルＬ１のテープ幅（テープ幅情報）の入力を受け付ける。そして、テープ印刷装置１は、撮影画像データＤ１とテープ幅とに基づいて、印刷ラベルのテープ長を算出する。また、文字サイズや文字間も算出する。これにより、ユーザーは、テープ長、文字サイズ、文字間を設定変更するための操作を熟知していなくても、テープ印刷装置１によって、過去に作成した印刷ラベルと同様なテープ長、文字サイズ、文字間の印刷ラベルを容易に作成することができる。また、他人が作成した印刷ラベルと同様なテープ長、文字サイズ、文字間の印刷ラベルを作成することも可能になる。
【００６４】
（４）テープ印刷装置１は、撮像部５０によって印刷ラベルを撮像することが可能であるため、例えば、テープ印刷装置１の取扱説明書等に印刷ラベルのサンプルを掲載しておけば、そのサンプルを撮像して、同様な属性データの印刷ラベルを作成することができる。よって、ユーザーは、複雑な属性データの設定を容易に行うことができる。
【００６５】
また、上述した実施形態は、上記機能を実現するためのプログラムをコンピューターで読み取り可能に記録した記録媒体等の態様で構成することも可能である。記録媒体としては、フレキシブルディスクやハードディスク、ＣＤやＤＶＤ、Ｂｌｕ−ｒａｙ  Ｄｉｓｃ（登録商標）等の光ディスク、光磁気ディスク、不揮発性の半導体メモリーを搭載したメモリーカードやＵＳＢメモリー、テープ印刷装置の内部記憶装置（ＲＡＭやＲＯＭ等の半導体メモリー）等、前記コンピューターが読み取り可能な種々の媒体を利用することができる。
【００６６】
なお、上述した実施形態に限定されず、種々の変更や改良等を加えて実施することが可能である。変形例を以下に述べる。
【００６７】
（変形例１）上記実施形態では、テープ印刷装置１は、ソフトウェアとしての画像解析プログラム３３ａを実行することで、撮影画像データＤ１を解析して文字コードデータや属性データを抽出しているが、画像解析プログラム３３ａと同様な処理を実行可能な回路装置（ハードウェア）を備え、その回路装置によって処理を行ってもよい。
【００６８】
（変形例２）上記実施形態では、テープ印刷装置１の属性データ記憶部３２ｂに記憶される属性種類は、「書体」、「装飾」、「文字サイズ」、「縦・横」、「枠」、「文字間」、「テープ長」としたが、これに限定するものではない。その他の印刷属性を抽出して記憶してもよい。
【００６９】
（変形例３）上記実施形態では、テープ印刷装置１の属性データ記憶部３２ｂの「文字サイズ」、「文字間」、「テープ長」は、ドット数で記憶するものとしたが、これに限定するものではない。例えば、テープ幅に対する相対的な大きさを表す数値として記憶してもよい。
【００７０】
（変形例４）上記実施形態では、テープ印刷装置１の本体と撮像部５０とは、ケーブルＣＢを介して接続されるものとしたが、これに限定するものではない。例えば、電波等による無線通信によって撮像した撮影画像データを送信してもよい。また、撮像部５０で撮像した撮影画像データをメモリーカード等の記録媒体に記憶し、その記録媒体をテープ印刷装置１の本体に装填することで、撮影画像データを画像解析用メモリー３２ｃに転送するような態様としてもよい。
【００７１】
（変形例５）上記実施形態では、テープＴに文字等を印刷するための印刷方式として、サーマルヘッド１５による熱転写方式を用いているが、この方式に限られず、インク滴を吐出するインクジェット方式等、他の印刷方式を用いてもよい。
【符号の説明】
【００７２】
１…テープ印刷装置、２…テープカートリッジ、１０…筐体、１１…キーボード、１２…表示部、１５…サーマルヘッド、１６…搬送機構、１８…カッターユニット、１９…識別センサー、３０…制御部、３１…ＣＰＵ、３２…ＲＡＭ、３２ａ…文字コードデータ記憶部、３２ｂ…属性データ記憶部、３２ｃ…画像解析用メモリー、３３…ＲＯＭ、３３ａ…画像解析プログラム、３４…ＣＧＲＯＭ、３５…入力インターフェイス、３６…出力インターフェイス、４１…表示駆動部、４２…ヘッド駆動部、４３…搬送駆動部、４４…カッター駆動部、５０…撮像部、５１…撮像レンズ、５２…撮像キー。
【図１】
2011251484.tif 000003
【図２】
2011251484.tif 000004
【図３】
2011251484.tif 000005
【図４】
2011251484.tif 000006
【図５】
2011251484.tif 000007
【図６】
2011251484.tif 000008
【図７】
2011251484.tif 000009
【図８】
2011251484.tif 000010